(57)【要約】      （修正有）【課題】金型など重量物を載置する引き出し付きラックに関し、より詳しくは、簡易な構造で、引き出しの強度確保、挿抜作業の軽減化、脱落防止を考慮したベアリングスライド式金属ラックを提供する。【解決手段】金属製の枠２と、枠２に挿抜可能な引き出し５とからなるベアリングスライド式金属ラック１であって、（１）枠２にベアリングを取り付け、引き出し５はベアリングの回転で挿抜がアシストされ、容易化されることを特徴とする。さらに、（２）枠２に第一ベアリング及び第二ベアリングを取り付け、引き出し５は第一ベアリングと第二ベアリングの間に位置し、第一ベアリングと第二ベアリングの回転で挿抜がアシストされ、容易化されることを特徴とする。【選択図】図１
0003217864.tif 000002
【実用新案登録請求の範囲】
【請求項１】
金属製の枠と、前記枠に挿抜可能な引き出しとからなるラックであって、
前記枠にベアリングを取り付け、前記引き出しは前記ベアリングの回転で挿抜がアシストされ、容易化されることを特徴とする
ベアリングスライド式金属ラック。
【請求項２】
金属製の枠と、前記枠に挿抜可能な引き出しとからなるラックであって、
前記枠に第一ベアリング及び第二ベアリングを取り付け、前記引き出しは前記第一ベアリングと前記第二ベアリングの間に位置し、前記第一ベアリングと前記第二ベアリングの回転で挿抜がアシストされ、容易化されることを特徴とする
ベアリングスライド式金属ラック。
【考案の詳細な説明】
【技術分野】
【０００１】
本考案は、金型など重量物を載置する引き出し付きラックに関し、より詳しくは、簡易な構造で、引き出しの強度確保、挿抜作業の軽減化、脱落防止を考慮したベアリングスライド式金属ラックに関する。
【背景技術】
【０００２】
従来の引き出しとしては、机などの収納部がある。それらは、特許文献１のように、引き出しレール（４２）でスライドできる機構になっている。
【０００３】
しかしながら、それらは、構造が複雑で制作が煩雑で、また、重量物の載置においても、スライドの軽減、強度確保を困難で、考慮していない。
【先行技術文献】
【特許文献】
【０００４】
【特許文献１】特開２００３−７０５５５号公報
【考案の概要】
【考案が解決しようとする課題】
【０００５】
そこで、本考案は、金型など重量物を載置する引き出し付きラックに関し、より詳しくは、簡易な構造で、引き出しの強度確保、挿抜作業の軽減化、脱落防止を考慮したベアリングスライド式金属ラックを提供することを目的とする。
【課題を解決するための手段】
【０００６】
本考案は、上記課題を解決するため、
（１）
金属製の枠と、前記枠に挿抜可能な引き出しとからなるラックであって、
前記枠にベアリングを取り付け、前記引き出しは前記ベアリングの回転で挿抜がアシストされ、容易化されることを特徴とするベアリングスライド式金属ラック。
（２）
金属製の枠と、前記枠に挿抜可能な引き出しとからなるラックであって、
前記枠に第一ベアリング及び第二ベアリングを取り付け、前記引き出しは前記第一ベアリングと前記第二ベアリングの間に位置し、前記第一ベアリングと前記第二ベアリングの回転で挿抜がアシストされ、容易化されることを特徴とするベアリングスライド式金属ラック。
とした。
【考案の効果】
【０００７】
本考案は、上記構成であるので、金型など重量物を載置する引き出しであっても、簡易な構造で、引き出しの強度確保、挿抜作業の軽減化（容易化）でき、さらに、引き出しの脱落も防止することができる。
【図面の簡単な説明】
【０００８】
【図１】本考案であるベアリングスライド式金属ラックの一例の実施形態の正面右側からの撮影写真である。
【図２】図１の実施形態の組み立て途中の正面左側からの撮影写真である。
【図３】背面右側から撮影した第一ベアリングを含む下ベアリングユニット及び第二ベアリングを含む右レールユニット（ラック右内側）の部分拡大写真である。
【図４】正面左上方から撮影した第一ベアリングを含む下ベアリングユニット及び第二ベアリングを含む右レールユニット（ラック右内側）の部分拡大写真である。
【図５】左側面上方から撮影した左レールユニット（ラック左外側）の部分拡大写真である。
【図６】右レールユニットの拡大写真、（Ａ）左側面、（Ｂ）右側面である。なお、図１から、上ベアリングユニット９を１セット多く備えるものである。
【図７】（Ａ）左プレートの枠側に位置する面の写真、（Ｂ）右プレートの枠外側に位置する面の写真である。
【図８】図１の実施形態の背面上方から撮影した左側面ラック内側の背面側部分の部分拡大写真である。
【図９】引き出しの係止機構、スライド機構の説明のための写真で、（Ａ）右側面背面側から撮影した抜け止めガイド、（Ｂ）正面左側から撮影した抜け止め用の右レールユニットのツメの拡大写真（ラック右内側）である。
【考案を実施するための形態】
【０００９】
以下、添付図面に基づき、本考案の実施の形態について詳細に説明する。ただし、本考案はそれら実施形態の形状、大きさに限定されるものではない。
【実施例１】
【００１０】
本考案の第一の実施形態であるベアリングスライド式金属ラック１は、図１−９に示すように、枠２と、天板３と、アジャスタ４と、引き出し５と、左右の下ベアリングユニット６と、左レールユニット７と、右レールユニット８とかなる。
【００１１】
枠２は、縦枠２ａ、横枠２ｂを縦横に、必要な強度が得られるよう、本数、太さを適宜選択し、ボルト２ｅ、溶接等で連結し、組み立てる。必要に応じて、補強板２ｃをボルト２ｅ、溶接で追加する。
【００１２】
天板３は、枠２の上部に嵌合、固定され、枠２の歪み、変形を抑制し、枠２の強度維持に寄与する。
【００１３】
アジャスタ４は枠２の下部に設置され、床に当接する円盤に備えられ、枠に螺合する軸を回転させることで、枠２の高さを調節することができる部材であり、枠２の四隅の縦枠２ａに設けられている。
【００１４】
引き出しは、載置される物品に応じて、適宜、形状、仕切りを選択する。ここでは、成型金型用の引き出し５とし、底に位置する板５ａと、板５ａに立設し、金型を並べて収納する溝５ｃを形成する仕切り５ｂと、板５ａ正面で、引き出し５の挿抜の際に手で把持する取っ手５ｄと、板の左右、奥に立設する縁とからなる。左右の縁５ｅは、後述するように、左右の枠２と左右レールユニット７、８との間に位置する。
【００１５】
左右の下ベアリングユニット６は、主に図２−５に示すように、回転する第一ベアリング６ａと、第一ベアリング６ａを枠２に固定するボルト・ナット６ｂとからなり、第一ベアリング６ａの上に引き出し５の板５ａが載置される。
【００１６】
なお、枠２の左内側の下ベアリングユニット６は、引き出し５等の裏側に位置し、各図で確認できないが、枠２の右内側の対向する枠２の左内側にも下ベアリングユニット６が備えられている。
【００１７】
左レールユニット７は、右レールユニット８と向かい合い、鏡映対象の関係にある。そこで、主に右レールユニット８を用いて、レールユニットについて説明する。
【００１８】
右レールユニット８は、主に図６、７に開示のように、ボルト８ｆで枠２に固定される右プレート８ａと、上右プレート８ａに回転可能に固定された上ベアリングユニット９とからなる。
【００１９】
右プレート８ａは、ボルト８ｆを挿通する孔８ｄを穿設した上板８ｇと上板８ｇから段差８ｂを経てラック内側に位置する下板８ｈとからなり、引き出し５の縁５ｅを枠２と下板８ｈの間に位置される。
【００２０】
段差８ｂに切れ込み８ｃがあり、穴上ベアリングユニット９を固定するコの字型の固定部９ｂが固定され、下板８ｈの手前側には枠２側に屈曲したツメ８ｅがある。ツメ８ｅは、引き出し５の縁５ｅ末端部に突設された抜け止めガイド５ｈ（図９（Ａ））を係止し、引き出し５の脱落を防止する。
【００２１】
図９に示すように、引き出し５の抜け止めガイド５ｈは、縁５ｅの末端部に突設され、上ベアリングユニット９の第二ベアリング９ａ、段差８ｂ底部に接触しスライドする上辺５ｉと、第二ベアリング９ａにソフトに当接するための湾曲した角部５ｋを備える。
【００２２】
また、図８に示すように、縁５ｅの末端には、抜け止めガイド５ｈと縁５ｅの間付近に切欠５ｍがあり、切欠５ｍが縦枠２ａに螺着したボルトであるストッパ２ｆで係止される。引き出し５のサイド縁５ｅと、板５ａ奥に立設する縁とは、切れ目５ｆで分断され、切れ目５ｆに左右プレート７ａ、８ａの下板７ｈ、８ｈが位置する。
【００２３】
上ベアリングユニット９は、切れ込み８ｃに位置し、回転可能に上限５iと当接する第二ベアリング９ａと、第二ベアリング９ａを右プレート８ａの固定部９ｂの穴９ｄに回転可能に固定するボルト・ナット９ｃとからなる。
【００２４】
次に、図８、９を参照して、引き出し５の係止機構、スライド機構について説明する。
【００２５】
図９（Ａ）に示す、縁５ｅに突設された抜け止めガイド５ｈの上辺５ｉは、引き出し５が挿抜されるとき、段差８ｂ及び第二ベアリング９ａに当接しながらスライドする。そして、図９（Ｂ）に示すように、ツメ８ｅが、抜け止めガイド５ｈを係止して、引き出し５の脱落を防止する。
【００２６】
ベアリングスライド式金属ラック１の組み立てに際して、引き出し５を下ベアリングユニット６に載置したうえで、左右プレートユニット７、８を枠２に固定して、枠２とで左右プレート７、８の下板７ｈ、８ｈで縁５ｅを挟む。
【００２７】
このようにしてなる本発明のベアリングスライド式金属ラック１は、引き出し５をベアリングで容易にスライド挿抜可能に保持することができる。
【符号の説明】
【００２８】
１      ベアリングスライド式金属ラック
２      枠
２ａ    縦枠
２ｂ    横枠
２ｃ    補強板
２ｅ    ボルト
２ｆ    ストッパ
３      天板
４      アジャスタ
５      引き出し
５ａ    板
５ｂ    仕切り
５ｃ    溝
５ｄ    取っ手
５ｅ    縁
５ｆ    切れ目
５ｈ    抜け止めガイド
５ｉ    上辺
５ｋ    角部
５ｍ    切欠
６      下ベアリングユニット
６ａ    第一ベアリング
６ｂ    ボルト・ナット
７      左レールユニット
７ａ    左プレート
７ｂ    段差
７ｃ    切れ込み
７ｄ    孔
７ｅ    ツメ
７ｆ    ボルト
７ｇ    上板
７ｈ    下板
８      右レールユニット
８ａ    右プレート
８ｂ    段差
８ｃ    切れ込み
８ｄ    孔
８ｅ    ツメ
８ｆ    ボルト
８ｇ    上板
８ｈ    下板
９      上ベアリングユニット
９ａ    第二ベアリング
９ｂ    固定部
９ｃ    ボルト・ナット
９ｄ    穴
【図１】
0003217864.tif 000003
【図２】
0003217864.tif 000004
【図３】
0003217864.tif 000005
【図４】
0003217864.tif 000006
【図５】
0003217864.tif 000007
【図６】
0003217864.tif 000008
【図７】
0003217864.tif 000009
【図８】
0003217864.tif 000010
【図９】
0003217864.tif 000011